【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】
画像を得るための第１の超音波信号を生体に送波して当該第１の超音波信号のエコー信号に応じた受波信号を受波する第１の超音波照射手段と、前記受波信号を処理して診断情報を得る手段と、前記生体に投与された薬剤入りマイクロカプセルを破壊するための第２の超音波信号を前記生体に照射する第２の超音波照射手段と、前記第１の超音波照射手段により得られた診断情報によって前記第２の超音波信号の照射タイミングを生成する照射タイミング生成手段と、前記生成された照射タイミングに基づいて前記第２の超音波照射手段を制御する制御手段と、を備えたことを特徴とする超音波診断・治療装置。
【請求項２】
前記照射タイミング生成手段は、前記マイクロカプセルから反射する前記超音波の高調波成分からなる前記第１の超音波信号で得られたエコー信号の画像を表示する画像表示手段を備えたことを特徴とする請求項１に記載の超音波診断・治療装置。
【請求項３】
前記照射タイミング生成手段は、前記マイクロカプセルから反射する前記超音波の高調波成分からなる前記第１の超音波信号で得られたエコー信号の画像と前記生体の断層像とを重畳して表示する画像表示手段を備えたこと特徴とする請求項１に記載の超音波診断・治療装置。
【請求項４】
前記照射タイミング生成手段は、前記生体内の患部へ流れ込むマイクロカプセルから生ずるエコー信号量の時間変化に基づいて前記第２の超音波信号の発生に関する音声を発生させる音声発生手段を備えたことを特徴とする請求項１に記載の超音波診断・治療装置。
【請求項５】
前記照射タイミング生成手段は、前記生体内の患部へ流れ込むマイクロカプセルから生ずるエコー信号量の時間変化を表示する画像表示手段を備えたことを特徴とする請求項１に記載の超音波診断・治療装置。
【請求項６】
前記画像表示手段は、前記エコー信号量の時間変化の数値を表示することを特徴とする請求項５に記載の超音波診断・治療装置。
【請求項７】
前記画像表示手段は、監視されたエコー信号量の時間変化と予め設定した所定値との比較に基づいて前記第２の超音波信号の発生に関するメッセージを表示することを特徴とする請求項５に記載の超音波診断・治療装置。
【請求項８】
前記画像表示手段は、前記エコー信号量を一方の軸にとり、他方の軸に時間をとってタイムインテンシティカーブのグラフを生成する手段を備え、前記生成されたグラフを表示することを特徴とする請求項５に記載の超音波診断・治療装置。
【請求項９】
前記画像表示手段は、前記生体の断面の断層画像又は前記マイクロカプセルから反射する前記超音波の高調波成分からなるエコー信号の画像の少なくとも一つの画像と前記グラフを重畳して表示することを特徴とする請求項８に記載の超音波診断・治療装置。
【請求項１０】
前記画像表示手段は、前記生体の断面の断層画像又は前記マイクロカプセルから反射する前記超音波の高調波成分からなるエコー信号の画像の少なくとも一つの画像と前記グラフとを並列に表示することを特徴とする請求項８に記載の超音波診断・治療装置。
【請求項１１】
前記画像表示手段は、前記生体の断面の断層画像又は前記マイクロカプセルから反射する前記超音波の高調波成分からなるエコー信号の画像の少なくとも一つの画像と前記グラフとを切換表示することを特徴とする請求項８に記載の超音波診断・治療装置。
【請求項１２】
前記第１の超音波信号の送波強度Ｐ1は、０＜Ｐ1≦１[Ｗ/ｃｍ2]であって、前記第２の超音波信号の送波強度Ｐ2は、０＜Ｐ2≦５[Ｗ/ｃｍ2]であることを特徴とする請求項１に記載の超音波診断・治療装置。
【請求項１３】
前記第１の超音波信号の送波強度Ｐ1と前記第２の超音波信号の送波強度Ｐ2は、Ｐ1＝ｍ・Ｐ2（ｍは０＜ｍ≦０．２）であることを特徴とする請求項１に記載の超音波診断・治療装置。
【請求項１４】
前記照射タイミング生成手段は、前記第２の超音波信号から前記第１の超音波信号へ切換えられたとき、前記第１の超音波信号によって計測される未破壊のマイクロカプセルを表示する画像表示手段を備えたことを特徴とする請求項１に記載の超音波診断・治療装置。
【請求項１５】
前記未破壊のマイクロカプセルに基づいて前記第２の超音波信号の強度と周波数を調整する手段を備えたことを特徴とする請求項１４に記載の超音波診断・治療装置。
【請求項１６】
前記照射タイミング生成手段は、前記生体の治療すべき患部が最も良く画像表示手段に表示された位置での画像を、前記第１の超音波信号から前記第２の超音波信号へ切換えられた際に、フリーズ表示する手段を備えたことを特徴とする請求項１に記載の超音波診断・治療装置。
【請求項１７】
前記制御手段は、前記第２の超音波照射手段から前記生体へ照射する超音波の集束範囲を制御することを特徴とする請求項１に記載の超音波診断・治療装置。
【請求項１８】
薬剤入りマイクロカプセルが投与された生体へ超音波を送波し、そのエコーを受波する探触子と、前記生体の画像を得るための第１の超音波信号を送波信号発生部に設定する手段と、前記第１の超音波信号に応じた前記エコーを信号として受波し、そのエコー信号を画像表示するための処理を行う手段と、前記処理されたエコー信号を診断情報として取得する手段と、前記マイクロカプセルを破壊し得る第２の超音波信号を前記送波信号発生部に設定する手段と、前記第２の超音波信号を前記生体に向けて前記探触子に照射させる手段と、前記得られた診断情報に基づいて前記第１の超音波信号と前記第２の超音波信号とを切換える手段とを備えたことを特徴とする超音波診断・治療装置。
【請求項１９】
画像を得るための第１の超音波信号を薬剤入りの少なくとも２種類のマイクロカプセルが投与された生体に送波して当該第１の超音波信号のエコー信号に応じた受波信号を受波する第１の超音波照射手段と、前記受波信号を処理して診断情報を得る手段と、前記生体に投与されたマイクロカプセルを破壊するための第２の超音波信号を前記生体に照射する第２の超音波照射手段と、前記得られた診断情報に基づいて前記第２の超音波照射手段を制御する制御手段とを備えたことを特徴とする超音波診断・治療装置。
【請求項２０】
前記少なくとも２種類のマイクロカプセルを注入する順序およびそれらのマイクロカプセル毎に送波する超音波の周波数及び強度を入力する手段と、前記入力された注入順序およびマイクロカプセル毎の超音波の周波数及び強度を記憶する手段と、前記記憶された注入順序、超音波の強度及び周波数に基づき前記マイクロカプセル毎に設定される第２の超音波信号により前記第２の超音波照射手段を制御する制御手段とを備えたことを特徴とする請求項１９に記載の超音波診断・治療装置。
【請求項２１】
前記入力手段によって設定された順序に基づき前記注入器を制御する手段を備えたことを特徴とする請求項２０に記載の超音波診断・治療装置。
【請求項２２】
薬剤入りマイクロカプセルが少なくとも２種類投与された生体へ超音波を送波し、そのエコーを受波する探触子と、前記生体の画像を得るための第１の超音波信号を送波信号発生部に設定する手段と、前記第１の超音波信号に応じた前記エコーを信号として受波し、そのエコー信号を画像表示するための処理を行う手段と、前記処理されたエコー信号を診断情報として取得する手段と、前記マイクロカプセル毎に破壊し得る第２の超音波信号を前記送波信号発生部に設定する手段と、前記取得された診断情報に基づき前記第２の超音波信号を前記生体に向けて前記探触子に照射させる手段と、前記得られた診断情報に基づいて前記第１の超音波信号と前記第２の超音波信号とを切換える手段とを備えたことを特徴とする超音波診断・治療装置。